(57)【要約】【課題】リハーサル中の保存操作を自動化した音声調整卓を提供する。【解決手段】リハーサル用キューシートの記憶部１１は、番組を構成する各シーンの開始及び終了時刻と、音声調整卓に設定されている調整・設定値を保存する時刻を記録する。調整・設定値記憶部９は、リハーサル用キューシートに記録された保存時刻における調整・設定値を記憶する。番組本番用キューシートの記憶部１２は、番組本番時における各シーンとその開始及び終了時刻を記録する。保存リストの生成部６と記憶部１３は、リハーサル用キューシートに記録された時刻ごとに、その時刻が属するシーンと、その時刻の調整・設定値と、保存時のシーンを記録する。プレイリスト生成部７と記憶部１４は、保存リストに記録されている各シーンの最新に保存された調整・設定値を抽出し、番組本番用キューシートに記録された各シーンに対して、最新の調整・設定値を割り当てる。【選択図】図１
2014093665.tif 000002
【特許請求の範囲】
【請求項１】
音声調整卓の音声処理部に対する調整・設定値を設定する操作部と、
設定された調整・設定値を保存する記憶部と、
予め定めた時刻ごとに、操作部によって設定された調整・設定値を前記記憶部に保存する自動保存部と、
前記記憶部に保存された調整・設定値に従って、入力された音声信号に対して処理を行う音声処理部と、
を備えていることを特徴とする音声調整卓。
【請求項２】
前記操作部に対する一定時間の無操作状態が継続したことを検出して、その時点の調整・設定値を前記記憶部に記録する無操作時保存部を備えていることを特徴とする請求項１に記載の音声調整卓。
【請求項３】
音声調整卓の手動操作を受信して、その時点の調整・設定値を前記記憶部に記録する手動保存部を備えていることを特徴とする請求項１また請求項２に記載の音声調整卓。
【請求項４】
音声調整卓の音声処理部に対する調整・設定値を設定する操作部と、
番組を構成する各シーンの開始及び終了時刻と、音声調整卓に設定されている調整・設定値を保存する時刻を記録したリハーサル用キューシートの記憶部と、
前記リハーサル用キューシートに記録された保存時刻における調整・設定値を記憶する調整・設定値記憶部と、
番組本番時における各シーンと、その開始及び終了時刻を記録した番組本番用キューシートの記憶部と、
リハーサル用キューシートに記録された時刻ごとに、その時刻が属するシーンと、その時刻おいて音声調整卓の操作部によって設定された調整・設定値と、保存時のシーンを記録する保存リストの生成部と、生成した保存リストの記憶部と、
保存リストに記録されている各シーンの保存された調整・設定値を抽出し、前記番組本番用キューシートに記録された各シーンに対して、保存リストから抽出された調整・設定値を割り当てることにより、プレイリストを生成するプレイリスト生成部と、生成したプレイリストの記憶部と、
番組本番時において、前記プレイリストに記録された調整・設定値に従って、入力された音声信号に対して処理を行う音声処理部と、
を備えていることを特徴とする音声調整卓。
【請求項５】
前記操作部に対する一定時間の無操作状態が継続したことを検出して、その時点の調整・設定値を前記調整・設定値記憶部に記録する無操作時保存部を備え、
前記無操作時保存部は、その時点で音声調整卓に設定されている調整・設定値を前記調整・設定値記憶部に記憶すると共に、保存リスト生成部に対してその時刻及びシーン名を出力することを特徴とする請求項４に記載の音声調整卓。
【請求項６】
音声調整卓の手動操作を受信して、その時点の調整・設定値を前記調整・設定値記憶部に記録する手動保存部を備え、
前記手動保存部は、その時点で音声調整卓に設定されている調整・設定値を前記調整・設定値記憶部に記憶すると共に、保存リスト生成部に対してその時刻及びシーン名を出力することを特徴とする請求項４または請求項５に記載の音声調整卓。
【請求項７】
番組本番中に、所定の時刻ごとに調整・設定値を保存することを特徴とする請求項１〜６のいずれか１項に記載の音声調整卓。
【発明の詳細な説明】
【技術分野】
【０００１】
本発明は、リハーサル時における出力音声の選択やレベル調整などの調整・設定値を保存しておき、それに基づいて番組本番時おける音声処理の自動化を可能とした音声調整卓に関する。
【背景技術】
【０００２】
番組の放送や収録は事前にリハーサルが行なわれる。リハーサル中、音声のミキシング担当者は、音声調整卓を使用して、音声に関する各種調整を行い、生放送や収録の本番を迎えることになる。番組は時間で区切られた各種シーンを切り替えて進行することが基本になるが、そのタイムスケジュールは事前に決められており、リハーサルもこのスケジュール通りに進められる。この種の音声調整卓としては、特許文献１から特許文献３に示すものが知られている。
【先行技術文献】
【特許文献】
【０００３】
【特許文献１】特開２００７−２８１６８７号公報
【特許文献２】特開２００１−１３６４９１号公報
【特許文献３】特開２００８−３０６３８９号公報
【発明の概要】
【発明が解決しようとする課題】
【０００４】
リハーサル中、シーン毎に出力音声の選択やレベル調整及び音質の細かな補正等が頻繁に行なわれるが、音声調整卓のオペレータはその調整が終わる度に音声調整卓の設定を保存する操作を行い、次のシーンへ向けて音声調整卓を設定する操作を行っている。また、オペレータは番組音声のディレクター的な役割を担っており、マイクセッティングや放送・録音機器への音声送出の準備など様々な業務を同時並行的に進行する必要がる。
【０００５】
この様な作業環境の中、オペレータは各種シーン毎の音声調整卓設定の保存操作を忘れて次のシーンに向けたセッティングを始めてしまうことがあり、保存操作を忘れてしまったシーン設定は多大な時間を費やして作り直す必要がある。
【０００６】
番組本番中はリハーサル中に保存したシーン毎の設定をシーン開始直前に呼び出しながら進行することになるが、この場合も演者の発声状態の変化など、その状況に応じて音声調整卓を調整しながら次のシーンを呼び出す操作を並行して行う必要があり、異なるシーン設定を呼び出したり、呼び出すタイミングが遅れたために音声が瞬断するなどの音声に関する事故が発生する要因となっている。
【０００７】
本発明は、音声調整卓のオペレーションに関する上述の問題を解決するために提案されたものである。本発明の目的は、調整・設定状態を自動記憶・再現することのできる音声調整卓を提供することにある。
【課題を解決するための手段】
【０００８】
本発明の音声調整卓は、次のような構成を有することを特徴とする。
(1) 音声調整卓の音声処理部に対する調整・設定値を設定する操作部。
(2) 設定された調整・設定値を保存する記憶部。
(3) 予め定めた時刻ごとに、操作部によって設定された調整・設定値を前記記憶部に保存する自動保存部。
(4) 前記記憶部に保存された調整・設定値に従って、入力された音声信号に対して処理を行う音声処理部。
【０００９】
音声調整卓の操作部に対する無操作状態が一定時間継続した場合に、その時点の調整・設定値を前記調整・設定値記憶部に保存することや、オペレータの手動操作により、その時点の調整・設定値を前記調整・設定値記憶部に保存することも、本発明の一態様である。
【発明の効果】
【００１０】
本発明によれば、リハーサル中の保存操作は自動化され、オペレータが保存操作を行わずに次の調整操作を始めてしまった場合にも、リハーサル中の調整・設定状態は失われてしまうことが無くなる。また、本番中も適切なシーン設定が自動的に呼び出されるため、ヒューマンエラーによる事故を防止できる。
【図面の簡単な説明】
【００１１】
【図１】本発明の音声調整卓の第1実施形態を示すブロック図。
【図２】本発明におけるリハーサル用キューシートの一例を示す図。
【図３】本発明における番組本番用キューシートの一例を示す図。
【図４】本発明における保存リストの一例を示す図。
【図５】本発明におけるプレイリストの一例を示す図。
【図６】第１実施形態における自動保存及び無操作時保存の処理を示すタイムチャート。
【図７】第１実施形態における番組本番時の処理を示すタイムチャート。
【図８】第２実施形態における番組本番時の自動保存処理を示すタイムチャート。
【発明を実施するための形態】
【００１２】
［１．第１実施形態］
［１−１．実施形態の構成］
本発明の第１実施形態を、図１に従って具体的に説明する。
【００１３】
本実施形態の音声調整卓は、入出力する音声信号に対して、種々の処理を行うための操作部１を備えている。この操作部１は、フェーダー、ダイヤル、スイッチなどから構成されている。オペレータは、操作部１を使用して、音声調整卓に入力される複数のチャンネルの音声信号に対して、出力音声の選択やレベル調整及び音質の細かな補正等を行う。
【００１４】
操作部１は、音声調整卓に入力される音声信号に対して、音量レベルの調整など各種の処理を行う音声処理部２に接続されている。音声処理部２には放送システムからの時計信号を受信する時計制御部１５が接続され、音声処理部２は時計制御部１５からの時刻情報を基準として、プレイリストに記録されている時刻と調整・設定値に従って番組の各シーンについての音声処理を行う。
【００１５】
音声調整卓には、調整・設定値を３つの方法で保存する手段として、自動保存部３、手動保存部４、及び無操作時保存部５を有する。音声調整卓は、リハーサル用キューシートから保存リストを生成する保存リスト生成部６、保存リストと番組本番用キューシートからプレイリストを生成するプレイリスト生成部７、及び無操作時を判定するタイマー８を備える。
【００１６】
音声調整卓は、メモリやハードディスクなどの記憶装置を備えており、この記憶装置には、音声調整卓の調整・設定値の記憶部９、タイマー８の設定時間の記憶部１０、リハーサル用キューシートの記憶部１１、番組本番用キューシートの記憶部１２、調整・設定値を記録した保存リストの記憶部１３、及びプレイリストの記憶部１４が設けられている。
【００１７】
自動保存部３は、リハーサル用キューシートに記録された自動保存の時刻ごとに、その時点で音声調整卓に設定されている調整・設定値をその記憶部９に記憶すると共に、保存リスト生成部６に対してその時刻及びシーン名を出力する。
【００１８】
手動保存部４は、オペレータが音声調整卓の操作部１に設けられている手動記憶スイッチ（図示せず）を投入したことを検出して、その時点で音声調整卓に設定されている調整・設定値をその記憶部９に記憶すると共に、保存リスト生成部６に対してその時刻及びシーン名を出力する。
【００１９】
無操作時保存部５は、オペレータによる操作部１の無操作状態がしばらくの間継続した場合に、調整・設定操作が完了したと判断して自動記憶するためのものである。この無操作時保存部５は、音声調整卓の操作部１及びタイマー８に接続されている。無操作時保存部５は、オペレータが音声調整卓の操作部１に対する操作動作を終了したタイミングに従って、タイマー８を作動させる。無操作時保存部５は、タイマー８が予め定めた一定時間を経過すると、その時点で音声調整卓に設定されている調整・設定値をその記憶部９に記憶すると共に、保存リスト生成部６に対してその時刻及びシーン名を出力する。
【００２０】
キューシートは、一例として、図２に示すリハーサル用と、図３に示す番組本番用の２種類の表形式のファイルが使用される。これらのキューシートは、オペレータが音声調整卓の入力装置２０から手作業で入力して記憶部１１，１２に保存しても良いし、外部のコンピュータなどで作成したものを音声調整卓にインポートしても良い。
【００２１】
リハーサル用と番組本番用のキューシートには、番組名、年月日、番組の各シーンについて付されたシーン番号、シーンの開始時間と終了時間、コメントが記録される。リハーサル及び番組本番の各シーンは、このキューシートに記載された開始時間と終了時間に従って実行される。リハーサル用と番組本番用のキューシートの違いは、リハーサルの場合には各シーンの間に休止時間が入るのに対して、番組本番は各シーンが連続している。
【００２２】
各シーンについての調整・設定値を自動保存する時刻は、オペレータが予め操作部１から指定するが、その指定したタイミングはリハーサル用のキューシートに「シーン保存」として記録される。図２では、「シーン保存」が各シーンの終了時刻の１秒前に設定されている。自動保存する時刻は、予め入力装置２０からキューシートに記録しておいても良い。
【００２３】
本実施形態では、音声調整卓に対する操作が連続して一定時間行われなかった場合、その際の調整・設定値をその記憶部９に自動保存するが、無操作時の保存時間はオペレータが予め操作部１から指定することができる。その指定した無操作時の保存時間は、設定時間記憶部１０に記憶されると共に、リハーサル用のキューシートに「無操作保存」として記録される。図２では、「無操作保存」は３分に設定されている。無操作時において自動保存を行う時間は、予め入力装置２０からキューシートに記録しておいても良い。
【００２４】
番組本番用のキューシートには、番組本番時において各シーンに関する調整・設定値を切り替えるタイミングが記録される。このタイミングは、オペレータが操作部１から入力することで設定され、キューシートには、「シーン再現」として記録される。図３では、「シーン再現」は各シーンの開始前１秒に設定されている。番組本番時において調整・設定値を切り換えるタイミングは、予め入力装置２０からキューシートに記録しておいても良い。
【００２５】
保存リストの記憶部１３には、図４に示すような保存リストが記憶される。この保存リストは自動保存部３，手動保存部４及び無操作時保存部５からのデータを受信した保存リスト生成部６によって生成される。保存リスト６には、番組名、年月日、保存順序を示す番号（Ｎｏ．）、保存時刻、シーン番号が記録される。保存リスト中の各シーン番号の中で最新の保存番号（最新の保存時刻）に相当するものについては着色表示がなされる。
【００２６】
プレイリストの記憶部１４には、図５に示すようなプレイリストが記憶される。このプレイリストはプレイリスト生成部７によって生成されるもので、番組名、年月日、番号（Ｎｏ．）、シーン番号、再現時刻、保存番号（Ｎｏ．）が記録される。保存番号は、保存リスト中の保存番号に相当する。
【００２７】
プレイリスト生成部７は、記憶部に記憶されている番組本番用のキューシートと保存リストに基づいてプレイリストを生成する。具体的には、番組本番用のキューシートの中から、シーン番号とその再現時刻（開始時刻からシーン再現値である１秒前を差し引いた時刻）を抽出し、これをプレイリストのシーン番号と再現時刻に割り当てる。また、保存リストからシーン番号中の最新の保存番号を抽出して、プレイリストの保存番号に割り当てる。
【００２８】
自動記憶により必要としない設定・調整状態までを保存して保存領域を圧迫したり、保存リストが多すぎて検索が困難になることを防止するために、常時、定周期（例えば、１秒毎に）で保存せずに、リハーサル用キューシートによる保存や無操作時保存により、設定・調整値を保存する。
【００２９】
［１−２．実施形態の作用］
（１）リハーサル時
リハーサル時における調整・設定値の保存について、図６を参照して説明する。
【００３０】
リハーサル用のキューシートには、各シーンの開始時刻と終了時刻が記録され、シーン保存時刻として、シーンの終了前１秒が記録されている。そのため、リハーサルが開始されると、各シーンの終了１秒前になると、自動保存部３がその時点の調整・設定値を調整・設定値記憶部９に記録する。
【００３１】
同時に自動保存部３は、保存リスト生成部６に対して、保存時刻を送信する。保存リスト生成部６は、受信した保存時刻とそのシーン番号を書き込んだ保存リストを、保存リスト記憶部１３に保存する。図６の保存番号２，５，６，８が、自動保存部３によって保存された調整・設定値の保存番号を示している。
【００３２】
各シーンの途中で、オペレータが操作部１による調整・設定値の変更を行わない場合、その無操作状態をタイマー８によって監視し、設定時間記憶部１０に記録した設定時間（無操作保存タイムアウト時間ｔ）に達すると、無操時作保存部５はその時点の調整・設定値を調整・設定値記憶部９に記録する。
【００３３】
同時に無操時作保存部５は、保存リスト生成部６に対して、保存時刻とそのシーン番号を送信する。保存リスト生成部６は、受信した保存時刻とそのシーン番号を書き込んだ保存リストを、保存リスト記憶部１３に保存する。図６の保存番号１，３，４，７が、無操時作保存部５によって保存された調整・設定値の保存番号を示している。
【００３４】
リハーサルが終了すると、プレイリスト生成部７は、保存リスト記憶部１３に保存されている保存リストと、番組本番用キューシート記憶部１２に記憶されている番組本番用キューシートに基づいて、プレイリストを生成する。この場合、保存リストからシーン番号中の最新の保存番号を抽出して、プレイリストの保存番号に割り当てる。
【００３５】
（２）番組本番時
番組本番が開始されると、プレイリストに記憶されたシーン番号と再現時刻になると、それに対応する保存番号の調整・設定値が、調整・設定値記憶部９から読み込まれる。すなわち、図５に示すプレイリストの一番左の欄に記載された再現番号に従って、各シーンの１秒前になると、再現番号に対応する保存番号の調整・設定値が調整・設定値記憶部９から読み込まれて、音声処理部２に送信される。音声処理部２は、受信した調整・設定値に従って、入力した音声信号に対する処理を行い、音声調整卓に外部に接続された出力装置に処理後の音声信号を出力する。
【００３６】
［１−３．実施形態の効果］
本実施形態によれば、次のような効果が発揮される。
（１）リハーサル用キューシートと、番組本番用キューシートを作成しておき、リハーサル用キューシートに記載されたシーン切り替えのタイミングで、調整・設定値を自動保存する。
【００３７】
（２）リハーサル中は、オペレータの無操作を検出して、調整・設定値を自動保存する。
【００３８】
（３）リハーサル用キューシートに記載されたシーン切り替えのタイミングで自動保存されたシーン設定（調整・設定値）を、番組本番用キューシートに記載されたシーン直前で再現するように、自動でプレイリスト化する。
【００３９】
（４）プレイリストを保存時刻とシーンとを組み合わせて記録することで、各シーンの調整・設定値を番組本番時に自動再現する。
【００４０】
（５）保存リストに保存時刻（タイムスタンプ）を付すことで、保存リストの検索性を高めることができる。
【００４１】
（６）放送システムなどに設けた時計制御部１５からの時計信号を受信し、自動保存や番組本番時の調整・設定値の読み込みを行うで、日時の正確性が向上する。
【００４２】
［２．第２実施形態］
番組本番中はタイムスケジュールの遅延や演者の発声状態の変化など、その状況に応じて音声調整卓を調整する必要があることから、ミスオペレーションも発生し易く、そのことが原因で音声出力断などの放送事故に繋がることもある。事故の要因調査においてはオペレータの当時の作業を聞き取り再現することになるが、人の記憶を頼ることになり正確性に欠けている問題がある。
【００４３】
第２実施形態は、自動保存部３あるいは無操作時保存部５に番組本番中における調整・設定値の自動保存機能を付与したものである。すなわち、図８に示すように、自動保存部３において、番組本番中の所定の時刻ごとに、その時点の調整・設定値を記憶部９に記録させるか、無操作時保存部５において、予め定めた一定時間ごとに番組本番中の自動保存を定周期で行なう。
【００４４】
第２実施形態によれば、本番中の各時間における音声調整卓の設定状態を本番終了後に再現可能となる。この機能により、オペレータに装置の設定状態を聞き取りすることなく、事故時刻の操作・設定状態を再現することが可能となり、事故解析が容易になる。
【００４５】
［３．他の実施形態］
本発明は、前記の実施形態に限定されるものではなく、次のような他の実施形態も包含する。
（１）手動保存部４を設けることなく自動保存部３と無操作時保存部５のみを設けたものや、手動保存部４と無操作時保存部５を設けることなく自動保存部３とのみを設けたもの。
【００４６】
（２）保存リスト生成部６及び保存リスト記憶部１３を設けることなく、各シーンについて最新の調整・設定値が保存される都度、最新の調整・設定値に対応する新たな保存番号を生成し、プレイリスト７生成部において、プレイリスト中の各シーン番号に対する保存番号を最新の保存番号に更新するもの。
【００４７】
（３）各キューシート及び保存リスト、プレイリストは、実施形態に示した形式のものに限定されず、他の形式であっても良い。また、必ずしも、各データをリスト形式で保存する必要はなく、単なるテキストデータで保存することも可能である。
（４）保存リストからプレイリストを作成する場合、最新の調整・設定値を自動的に抽出する代わりに、保存リストを画面表示して、その中から手動操作により、適切な調整・設定値をオペレータが選択することも可能である。また、最新の調整・設定値の代わりに、複数の調整・設定値の平均値や、最大あるいは最小の調整・設定値は選択肢から排除するなどの処理を行うこともできる。
【符号の説明】
【００４８】
１…操作部
２…音声処理部
３…自動保存部
４…手動保存部
５…無操作時保存部
６…保存リスト生成部
７…プレイリスト生成部
８…タイマー
９…調整・設定値記憶部
１０…設定時間記憶部
１１…リハーサル用キューシート記憶部
１２…番組本番用キューシート記憶部
１３…保存リスト記憶部
１４…プレイリスト記憶部
１５…時計制御部
【図１】
2014093665.tif 000003
【図２】
2014093665.tif 000004
【図３】
2014093665.tif 000005
【図４】
2014093665.tif 000006
【図５】
2014093665.tif 000007
【図６】
2014093665.tif 000008
【図７】
2014093665.tif 000009
【図８】
2014093665.tif 000010